(57)【要約】【課題】各単位カバーの係止突起と係止部とを互いに引っ張って組み立てることによって、各単位カバーを柱構造物に迅速に密着させて組み立てることが可能な、パイプカバーを提供する。【解決手段】複数の単位カバーを含み、前記単位カバーの両端には結合手段がそれぞれ設けられており、いずれか一つの前記単位カバーの前記結合手段が、他の一つの前記単位カバーの前記結合手段と結合されることによって、多数の前記単位カバーが柱構造物を取り囲んで配置され、前記単位カバーは、外側面をなす外側部と、前記外側部の両端から柱構造物側にそれぞれ折り曲げられた折曲部と、を含む多数のパネル部と；互いに隣接して配置される前記パネル部の前記折曲部を互いに連結する連結部と；を含んで構成される、パイプカバー。【選択図】図１
2016061137.tif 000002
【特許請求の範囲】
【請求項１】
複数の単位カバーを含み、
前記単位カバーの両端には結合手段がそれぞれ設けられており、
いずれか一つの前記単位カバーの前記結合手段が、他の一つの前記単位カバーの前記結合手段と結合されることによって、多数の前記単位カバーが柱構造物を取り囲んで配置され、
前記単位カバーは、
外側面をなす外側部と、前記外側部の両端から柱構造物側にそれぞれ折り曲げられた折曲部と、を含む多数のパネル部と；
互いに隣接して配置される前記パネル部の前記折曲部を互いに連結する連結部と；を含んで構成される、パイプカバー。
【請求項２】
前記単位カバーのいずれか一端には前記パネル部が配置され、前記単位カバーの他端には前記連結部が配置され、
前記単位カバーのいずれか一端に設けられた前記結合手段は、前記パネル部の外側に配置される前記折曲部の終端に形成される係止突起であり、
前記単位カバーの他端に設けられた前記結合手段は、前記連結部の終端に形成される結合部であり、
前記結合部の一端は前記柱構造物側に配置され、他端には、前記係止突起が係止されるように係止部が形成される、請求項１に記載のパイプカバー。
【請求項３】
前記係止突起は、前記パネル部の内側に向かって突出形成されており、
前記係止部は、前記係止突起の内側に配置される、請求項２に記載のパイプカバー。
【請求項４】
前記係止部は、
前記結合部の終端に形成され、終端から中心側に行くほど前記連結部側に向かうように傾斜した傾斜部と、
前記傾斜部の下側に位置し、前記係止突起が収容される収容溝部と、を含み、
前記係止突起が前記傾斜部によって滑りながら前記収容溝部に収容される、請求項３に記載のパイプカバー。
【請求項５】
前記係止部は、
前記結合部の終端に前記連結部が位置した反対方向に折り曲げられて形成され、前記係止突起が形成された前記折曲部の内側と当接する曲面部と、
前記曲面部の下側に位置し、前記係止突起が収容される収容溝部と、を含み、
前記係止突起が前記曲面部の曲面に沿って滑りながら前記収容溝部に収容される、請求項３に記載のパイプカバー。
【請求項６】
前記パネル部には、
凹凸部が形成され、前記柱構造物に付着する付着物の接着部分を最小化させる、請求項１〜５のいずれか一項に記載のパイプカバー。
【請求項７】
前記柱構造物の外側面には接着手段が付着し、
前記折曲部の終端は前記接着手段と当接する、請求項１〜６のいずれか一項に記載のパイプカバー。
【請求項８】
多数の前記単位カバーが前記柱構造物を取り囲んで配置されるとき、
前記柱構造物と多数の前記単位カバーとの間の空間を塞ぐように、多数の前記単位カバーの上端又は下端にエンドキャップが設置される、請求項４又は５に記載のパイプカバー。
【発明の詳細な説明】
【技術分野】
【０００１】
本発明は、パイプカバーに関する。
【背景技術】
【０００２】
都市の街灯柱、電信柱、信号灯柱、道路案内表示板などの柱構造物には多くの広告チラシが付着しており、これらが都市の美観を害する場合が多い。そこで、従来の柱構造物の外側に設置される各カバーが提示されている。
【０００３】
特許文献１（「広告機能を有する柱構造物用衝撃吸収保護台」、以下、「従来技術１」と称する。）は、次のような問題を有する。
【０００４】
従来技術１においては、衝撃吸収台を組み立てるにおいて、軸孔及びヒンジ軸によって回動可能に組み立てが行われ、ボルト孔及びボルトナットによって組み立てが行われるので、組立作業が非常に複雑であり、組み立てるのに時間が多くかかるという短所がある。
【０００５】
また、従来技術１においては、衝撃吸収台を柱構造物に固定するための構成がないので、柱構造物の下部側のみに限定して衝撃吸収台を設置可能であり、柱構造物の中間部分に衝撃吸収台を設置することは不可能である。
【０００６】
特許文献２（「二重構造からなる街灯の柱」、以下、「従来技術２」と称する。）は、次のような問題を有する。
【０００７】
従来技術２においては、外部柱部材は、パイプ状に柱構造物の上部から嵌めて固定しなければならないので、組み立てが非常に不便であり、柱構造物との密着性が非常に低下するという問題がある。
【０００８】
また、従来技術２においては、挿入リングによって外部柱部材の一部分のみが柱構造物に固定されるので、柱構造物と外部柱部材との間に浮き上がった一部の空間が生じることによって、密着性が非常に低下するという問題がある。
【０００９】
さらに、従来技術２においては、外部柱部材を柱構造物に固定するための別途の固定手段がないので、柱構造物の下部のみに外部柱部材を設置可能であり、柱構造物の中間に外部柱部材を固定設置することは不可能であるので、消費者の期待に応えることができない。
【先行技術文献】
【特許文献】
【００１０】
【特許文献１】大韓民国登録特許第１０―０７９８２９７号
【特許文献２】大韓民国登録特許第１０―０７５１２８５号
【発明の概要】
【発明が解決しようとする課題】
【００１１】
そこで、本発明は、上記問題に鑑みてなされたものであり、本発明の目的とするところは、各単位カバーの係止突起と係止部とを互いに引っ張って組み立てることによって、各単位カバーを柱構造物に迅速に密着させて組み立てることが可能な、新規かつ改良されたパイプカバーを提供することにある。
【課題を解決するための手段】
【００１２】
上記課題を解決するために、本発明のある観点によれば、複数の単位カバーを含み、前記単位カバーの両端には結合手段がそれぞれ設けられており、いずれか一つの前記単位カバーの前記結合手段が、他の一つの前記単位カバーの前記結合手段と結合されることによって、多数の前記単位カバーが柱構造物を取り囲んで配置され、前記単位カバーは、外側面をなす外側部と、前記外側部の両端から柱構造物側にそれぞれ折り曲げられた折曲部と、を含む多数のパネル部と；互いに隣接して配置される前記パネル部の前記折曲部を互いに連結する連結部と；を含んで構成される、パイプカバーが提供される。
【００１３】
前記単位カバーのいずれか一端には前記パネル部が配置され、前記単位カバーの他端には前記連結部が配置され、前記単位カバーのいずれか一端に設けられた前記結合手段は、前記パネル部の外側に配置される前記折曲部の終端に形成される係止突起であり、前記単位カバーの他端に設けられた前記結合手段は、前記連結部の終端に形成される結合部であり、前記結合部の一端は前記柱構造物側に配置され、他端には、前記係止突起が係止されるように係止部が形成されてもよい。
【００１４】
前記係止突起は、前記パネル部の内側に向かって突出形成されており、前記係止部は、前記係止突起の内側に配置されてもよい。
【００１５】
前記係止部は、前記結合部の終端に形成され、終端から中心側に行くほど前記連結部側に向かうように傾斜した傾斜部と、前記傾斜部の下側に位置し、前記係止突起が収容される収容溝部と、を含み、前記係止突起が前記傾斜部によって滑りながら前記収容溝部に収容されてもよい。
【００１６】
前記係止部は、前記結合部の終端に前記連結部が位置した反対方向に折り曲げられて形成され、前記係止突起が形成された前記折曲部の内側と当接する曲面部と、前記曲面部の下側に位置し、前記係止突起が収容される収容溝部と、を含み、前記係止突起が前記曲面部の曲面に沿って滑りながら前記収容溝部に収容されてもよい。
【００１７】
前記パネル部には、凹凸部が形成され、前記柱構造物に付着する付着物の接着部分を最小化させてもよい。
【００１８】
前記柱構造物の外側面には接着手段が付着し、前記折曲部の終端は前記接着手段と当接してもよい。
【００１９】
多数の前記単位カバーが前記柱構造物を取り囲んで配置されるとき、前記柱構造物と多数の前記単位カバーとの間の空間を塞ぐように、多数の前記単位カバーの上端又は下端にエンドキャップが設置されてもよい。
【発明の効果】
【００２０】
本発明のパイプカバーによると、次のような効果がある。
【００２１】
第一に、各単位カバーの係止突起と係止部とを互いに引っ張って組み立てることによって、各単位カバーを柱構造物に迅速に密着させて組み立てることができる。
【００２２】
特に、単位カバーの弾性を用いて係止突起と係止部とを引っ張って嵌めると、容易に且つ迅速に単位カバーを互いに結合することができる。
【００２３】
第二に、単位カバーと一体に形成された係止突起に、他の単位カバーに形成された係止部を１次的に組み立てることによって、柱構造物に単位カバーを固定するための別途の部品が必要でない。
【００２４】
また、柱構造物に弾性のある両面テープを接着させると、柱構造物と単位カバーとの間に接着する両面テープの接着力と弾性を用いて柱構造物に単位カバーを２次的により堅固に密着させることができる。このように両面テープを用いると、柱構造物の定められた位置に単位カバーを臨時に固定することができ、作業速度が非常に速いと共に、作業が容易であり、弾性のある両面テープによって単位カバーが動いたり音がすることなく、より堅固に単位カバーを固定することができる。
【００２５】
さらに、柱構造物を取り囲んで結合された単位カバーの上・下端にエンドキャップを３次的に組み立てることによって、単位カバーをより堅固に密着させることができる。このようにエンドキャップによって単位カバーの上・下端を固定すると同時に、エンドキャップによって単位カバーと柱構造物との間の空間を閉鎖し、外観をさらに良好にすることができる。
【００２６】
第三に、単位カバーを柱構造物の周囲に沿って組み立てればよいので、溶接や別途の締結手段が必要でなく、柱構造物自体の穿孔が必要でないので、組立性を向上させることができる。
【００２７】
第四に、同一の形状の単位カバーは、アルミニウム、合成樹脂射出などで容易に大量生産することができ、生産費用を減少させることができる。
【００２８】
第五に、広告懸垂幕などを据え置くことができる懸垂幕掛け台と、旗を掲げることができる国旗掲揚台とを一体に設置し、都市の美観を改善することができる。
【００２９】
第六に、パネル部に凹凸部が形成され、柱構造物に付着する付着物の接着部分を最小化することによって、接着面を減少させるので、不法チラシの付着を困難にすることができ、付着した付着物の除去も容易である。
【００３０】
また、凹凸部によって単位カバーが半径方向に伸縮性を有するので、柱構造物の上・下部の直径が異なるとしても、単位カバーの伸縮性によって単位カバーを    柱構造物に密着させて施工することができる。
【図面の簡単な説明】
【００３１】
【図１】本発明の第１の実施例に係るパイプカバーを示した分解斜視図である。
【図２】図１の単位カバーの一部分を拡大して示した斜視図である。
【図３】図１の単位カバーが結合された状態を示した平面図である。
【図４】図１の単位カバーが３個結合された状態を示した平面図である。
【図５】図１の第１の実施例に係るパイプカバーが組み立てられる過程を示す図である。
【図６】図１の第１の実施例に係るパイプカバーが組み立てられる過程を示す図である。
【図７】図１の第１の実施例に係るパイプカバーが組み立てられる過程を示す図である。
【図８】図１の第１の実施例に係るパイプカバーが組み立てられる過程を示す図である。
【図９】図１の第１の実施例に係るパイプカバーが組み立てられる過程を示す図である。
【図１０】図１の第１の実施例に係るパイプカバーが組み立てられる過程を示す図である。
【図１１】図１の組立図である。
【図１２】図１１の断面図である。
【図１３】図１２の一部分を拡大して示した図である。
【図１４】エンドキャップの他の実施例を示した図である。
【図１５】エンドキャップの他の実施例を示した図である。
【図１６】エンドキャップの更に他の実施例を示した図である。
【図１７】図１６の組立図である。
【図１８】本発明の第１―１の実施例に係るパイプカバーを示した分解斜視図である。
【図１９】図１８の単位カバーが結合された状態を示した平面図である。
【図２０】図１８の組立図である。
【図２１】本発明の第２の実施例に係るパイプカバーを示した平面図である。
【図２２】図２１の単位カバーを示した図である。
【図２３】図２１の単位カバーに凹凸部が形成された実施例を示した図である。
【図２４】本発明の第３の実施例に係るパイプカバーを示した分解斜視図である。
【図２５】図２４の単位カバーが結合された状態を示した平面図である。
【図２６】図２５の単位カバーを示した図である。
【図２７】図２４の組立図である。
【発明を実施するための形態】
【００３２】
以下、添付の図面を参照しながら本発明に係る好ましい実施例を詳細に説明する。説明の前に、本明細書及び特許請求の範囲に使用された用語や単語は、通常的又は辞書的な意味に限定して解釈してはならなく、発明者は、自身の発明を最善の方法で説明するために用語の概念を適宜定義できるという原則に立脚し、本発明の技術的思想に適合する意味と概念で解釈しなければならない。
【００３３】
したがって、本明細書に記載した実施例と図面に示した構成は、本発明の最も好ましい一実施例に過ぎなく、本発明の技術的思想を全て代弁するものではないので、本出願時点においてこれらに取って代わる多様な均等物と変形例があり得ることを理解しなければならない。
【００３４】
＜１−１．第１の実施例に係るパイプカバー＞
第１の実施例に係るパイプカバーを図１〜図５に示した。
【００３５】
本発明によるパイプカバーが設置される柱構造物１００は、街灯柱、電信柱、フェンス柱、信号灯柱、道路案内板、庇柱などの都市美観改善及び装飾用のためにパイプカバーが取り囲まれるように設けられた各種柱構造物１００のうちいずれか一つであり得る。
【００３６】
図１に示したように、第１の実施例で提示した柱構造物１００は、地面に対して上下に長く配置される柱本体１１０と、柱本体１１０の下端周囲に沿って外側に延長され、板状に設けられたベース板１５０とを含む。本実施例において、ベース板１５０は、円板状であるが、実施例に応じて四角板状などに多様に変更して実施することができる。ベース板１５０は、地面に設置される部分である。また、本実施例において、柱本体１１０は円形パイプ状であるが、実施例に応じて四角パイプ状になり得る。
【００３７】
このような柱構造物１００の柱本体１１０を取り囲むように設けられるパイプカバーは、多数の単位カバー２００で構成される。各単位カバー２００は、互いに結合され、円形パイプ状の柱本体１１０の外側を取り囲むように設けられる。
【００３８】
単位カバー２００は、図２に示したように、多数のパネル部２１０と、各パネル部２１０を連結する連結部２５０とを含むことが好ましい。
【００３９】
パネル部２１０は、外側面をなす外側部２１１と、外側部２１１の両端から柱構造物１００側にそれぞれ折り曲げられた折曲部２１３とを含む。本実施例において、柱本体１１０が円形パイプ状であることによって、外側面をなす外側部２１１はストレート形状でない円弧状であり、外側部２１１の両端からそれぞれ折り曲げられた折曲部２１３は、外側部２１１から垂直に折り曲げられたものではなく、両側の折曲部２１３が互いに近づく方向に傾斜して折り曲げられることが好ましい。
【００４０】
前記のように構成されるパネル部２１０は、本実施例において、一つの単位カバー２００に二つのパネル部２１０が設けられた場合を示したが、実施例に応じて、図４に示すように、一つの単位カバー２００に三つのパネル部２１０が設けられてもよく、このようにパネル部２１０の個数は変わり得る。
【００４１】
連結部２５０は、互いに隣接して配置される各パネル部２１０の折曲部２１３を互いに連結する。本実施例において、連結部２５０は、円弧状であり、折曲部２１３の中間部分を連結するように設けられている。
【００４２】
前記のように、パネル部２１０及び連結部２５０を含んで構成される単位カバー２００のいずれか一端にはパネル部２１０が配置され、他端には連結部２５０が配置される。
【００４３】
単位カバー２００の一端に配置されるパネル部２１０の折曲部２１３のうち外側に配置される折曲部２１３は、他の折曲部２１３より短い長さに設けられることが好ましい。このように短い長さに設けられ、外側に配置された折曲部２１３の終端には係止突起２１４が形成されている。
【００４４】
このような係止突起２１４は、パネル部２１０の内側に向かって突出形成されることが好ましい。
【００４５】
本実施例においては、折曲部２１３の終端に形成された係止突起２１４は、折曲部２１３の外側と折曲部２１３の内側とを連結し、外側に膨らむように円弧状に形成されており、折曲部２１３の内側で後述する係止部２６１が係止されるように係止突起２１４が折曲部２１３の内側に突出して配置されている。
【００４６】
単位カバー２００の他端に配置される連結部２５０には、係止突起２１４が係止されるように結合部２６０が設けられている。結合部２６０は、ストレート形状の板に形成されており、結合部２６０の中間部分が連結部２５０に連結されている。このような結合部２６０の一端は柱構造物１００側に配置され、他端には、係止突起２１４が係止されるように係止部２６１が結合部２６０の内側に形成されている。
【００４７】
係止部２６１は、図２に示したように、傾斜部２６２及び収容溝部２６３を含んで構成されることが好ましい。
【００４８】
傾斜部２６２は、結合部２６０の終端に形成されており、柱構造物１００側に配置された結合部２６０の終端の反対側終端に傾斜部２６２が形成されている。このような傾斜部２６２は、終端から中心側に行くほど連結部２５０側に向かうように傾斜している。傾斜部２６２は、外側面が平面状であってもよいが、本実施例のように、外側に膨らんだ曲面状であってもよい。
【００４９】
収容溝部２６３は、傾斜部２６２の下側に位置し、連結部２５０側に開放された溝状に形成され、収容溝部２６３に係止突起２１４が収容される。本実施例において、収容溝部２６３は、傾斜部２６２と連結部２５０との間に配置されている。
【００５０】
前記のように構成される第１の実施例に係る単位カバー２００は、柱構造物１００の断面が円形であることによって、単位カバー２００の断面は円弧に沿って配置されている。したがって、多数の単位カバー２００が柱構造物１００の外側を取り囲んで結合されると、図３に示すように、結合された単位カバー２００の断面は円に沿って配置され、全体的に円状をなす。
【００５１】
前記のように構成される単位カバー２００の結合状態を図３に示した。
【００５２】
図３に示したように、いずれか一つの単位カバー２００の係止突起２１４は、隣接した他の一つの単位カバー２００の係止部２６１に係止されて結合される。
【００５３】
このとき、係止突起２１４は、係止部２６１の傾斜部２６２によって滑りながら収容溝部２６３に収容されて結合が行われ、結合された係止部２６１は係止突起２１４の内側に配置される。すなわち、係止部２６１の外側面は、係止突起２１４が形成された折曲部２１３の内側と当接する。
【００５４】
本明細書の図３においては、四つの単位カバー２００が断面円状をなして結合される場合を示したが、実施例に応じて、図４に示すように、結合される単位カバー２００の個数は変わり得る。すなわち、図４に示すように、一つの単位カバー２００に三つのパネル部２１０が設けられる場合は、三つの単位カバー２００が円状をなして結合されてもよい。このように一つの単位カバー２００に設けられるパネル部２１０の個数に応じて、柱構造物１００を取り囲んで結合される単位カバー２００の個数が変わり得る。
【００５５】
以下、前記のように構成された本発明のパイプカバーの組立過程を図５〜図１０を参照して説明する。
【００５６】
まず、図５に示すように、柱構造物１００の外側面に接着手段３００を付着させる。本実施例において、接着手段は、弾性のある両面テープ３００である。両面テープ３００の一側面に付着したテープ保護膜を除去し、両面テープ３００を柱構造物１００の外側面に付着させる。本実施例においては、図１に示すように、柱構造物１００の外側面に互いに離隔するように三箇所に両面テープ３００を付着させる。
【００５７】
その後、両面テープ３００の反対側面のテープ保護膜を除去した後、図６に示すように、一つの単位カバー２００を柱構造物１００の外側面に付着させる。
【００５８】
その後、図７に示すように、単位カバー２００を順次付着させるが、このとき、一つの単位カバー２００の係止突起２１４には、隣接した他の単位カバー２００の係止部２６１が係止されるようにする。
【００５９】
このように単位カバー２００を順次付着させると、図８に示すように、四つの単位カバー２００が柱構造物１００の外側面を取り囲んで結合される。このとき、各単位カバー２００に設けられた折曲部２１３と結合部２６０の終端が、図１３に示すように接着手段３００と当接するようになり、係止突起２１４と係止部２６１とを引っ張って結合すると、折曲部２１３と結合部２６０の終端が両面テープ３００を強く押し、その結果、単位カバー２００をより堅固に固定することができる。
【００６０】
このように、多数の単位カバー２００が柱構造物１００を取り囲んで配置されるとき、柱構造物１００と多数の単位カバー２００との間の空間を塞ぐように、柱構造物１００を取り囲んで配置された多数の単位カバー２００の上端又は下端にエンドキャップ４００を設置することができる。
【００６１】
エンドキャップ４００は、図１に示したように、円形ホールであるパイプ挿入部４１１が形成されたリング状のキャップベース部４１０と、キャップベース部４１０の周囲に沿って垂直に配置されたキャップ側板部４５０とを含んで構成されている。
【００６２】
前記のように構成されるエンドキャップ４００は、図８に示すように、柱構造物１００を取り囲んで配置された多数の単位カバー２００の下端に設置され、図９に示すように、柱構造物１００を取り囲んで配置された多数の単位カバー２００の上端に設置される。
【００６３】
エンドキャップ４００の設置方法は、次の通りである。
【００６４】
まず、下端に設置されるエンドキャップ４００は、単位カバー２００が設置された状態であるので、エンドキャップ４００のキャップ側板部４５０とキャップベース部４１０を切開し、パイプ挿入部４１１を開放した後、多数の単位カバー２００の下端に設置した後、切開された部分を溶接して設置することができる。
【００６５】
又は、単位カバー２００を設置する前に、柱構造物１００にエンドキャップ４００のパイプ挿入部４１１を嵌め、単位カバー２００を設置した後、柱構造物１００に嵌められたエンドキャップ４００を多数の単位カバー２００の下端に設置することもできる。
【００６６】
柱構造物１００に多数の単位カバー２００とエンドキャップ４００が設置された状態を図１１及び図１２に示した。
【００６７】
＜１−２．エンドキャップの他の実施例＞
一方、エンドキャップ４００を切断して再び溶接することが煩雑であるので、これを防止するためのエンドキャップ４００の他の実施例を図１４及び図１５に示した。
【００６８】
図１４の（ａ）によるエンドキャップ４００ａは、キャップ側板部４５０とキャップベース部４１０が切開されている状態であって、キャップ側板部４５０の切開された部分の両側にはそれぞれ鉄心挿入ホール４５１が形成されている。
【００６９】
したがって、キャップ側板部４５０とキャップベース部４１０の切開された部分を通じて、エンドキャップ４００ａを柱構造物１００の外側に嵌める。
【００７０】
その後、鉄心挿入ホール４５１にＣ字状の鉄心４９０を挿入した後、図１４の（ｂ）に示すように、鉄心挿入ホール４５１を貫通した鉄心４９０の両端を折り曲げて固定させると、エンドキャップ４００ａが柱構造物１００の単位カバー２００の上端又は下端に設置される。
【００７１】
図１５に示したエンドキャップ４００ｂは、二つの部分エンドキャップ４００―１、４００―２に分けられている。各部分エンドキャップ４００―１、４００―２の両端には係止板４５５がそれぞれ形成されている。
【００７２】
部分エンドキャップ４００―１、４００―２のいずれか一端に形成された係止板４５５は、キャップ側板部４５０のキャップベース部４１０が配置された反対側に連結板４５３で連結されており、係止板４５５とキャップ側板部４５０との間には、キャップベース部４１０側に切開された切開部４５４が形成されている。
【００７３】
部分エンドキャップ４００―１、４００―２の他端に形成された係止板４５５は、キャップ側板部４５０のキャップベース部４１０が配置された側に連結板４５３で連結されており、係止板４５５とキャップ側板部４５０との間には、キャップベース部４１０が配置された反対側に切開された切開部４５４が形成されている。
【００７４】
前記のように構成されることによって、いずれか一つの部分エンドキャップ４００―１の係止板４５５と他の一つの部分エンドキャップ４００―２の係止板４５５とが各切開部４５４を通じて当接しながら結合される。
【００７５】
したがって、部分エンドキャップ４００―１、４００―２が柱構造物１００の外側面を取り囲むようにし、各部分エンドキャップ４００―１、４００―２の係止板４５５を互いに当接させるように結合させると、エンドキャップ４００ｂが柱構造物１００の単位カバー２００の上端又は下端に設置される。
【００７６】
＜１−３．エンドキャップの更に他の実施例＞
エンドキャップの更に他の実施例を図１６及び図１７に示した。
【００７７】
図１６に示すように、柱構造物１００の単位カバー２００の上端に設置されるエンドキャップ４００ｃのキャップ側板部４５０には、少なくとも一つ以上の国旗掲揚台４５７が設けられており、キャップベース部４１０には横に長く懸垂幕掛け台４１５が設けられている。
【００７８】
前記のように構成されるエンドキャップ４００が単位カバー２００の上端に設置された状態を図１７に示した。
【００７９】
＜１−４．第１―１の実施例に係るパイプカバー＞
第１―１の実施例に係るパイプカバーを図１８〜図２０に示した。
【００８０】
第１―１の実施例に係るパイプカバーのうち第１の実施例と同一の構成要素に対しては同一の図面符号を付与し、それに対する詳細な説明は省略し、第１の実施例と相違する構成要素に対してのみ説明することにする。
【００８１】
第１―１の実施例に係るパイプカバーは、多数の単位カバー２００ａで構成されている。各単位カバー２００ａは、パネル部２１０及び連結部２５０を含んで構成されている。
【００８２】
各単位カバー２００ａのパネル部２１０のうち外側部２１１には、図１９に示すように凹凸部２１２が形成されている。凹凸部２１２をなすそれぞれの凸部と凹部の断面は半円状であり、半円状の凸部と凹部が集まって曲面状の凹凸部２１２をなす。
【００８３】
このようにパネル部２１０に凹凸部２１２が形成され、柱構造物１００に付着する付着物の接着部分を最小化することによって、接着面を減少させるので、不法チラシの付着を困難にすることができ、付着した付着物の除去も容易である。
【００８４】
また、凹凸部２１２によって単位カバー２００ａが半径方向に伸縮性を有するので、柱構造物１００の上・下部の直径が異なるとしても、単位カバー２００ａの伸縮性によって単位カバー２００ａを柱構造物１００に密着させて施工することができる。
【００８５】
＜２．第２の実施例に係るパイプカバー＞
第２の実施例に係るパイプカバーを図２１及び図２２に示した。
【００８６】
第２の実施例に係るパイプカバーのうち第１の実施例と同一の構成要素に対しては同一の図面符号を付与し、それに対する詳細な説明は省略し、第１の実施例と相違する構成要素に対してのみ説明することにする。
【００８７】
第２の実施例に係る柱構造物１００は円形パイプ状である。
【００８８】
このような円形パイプ状である柱構造物１００を取り囲むように設けられるパイプカバーは、図２１に示したように、多数の単位カバー２００ｂで構成され、各単位カバー２００ｂは、互いに結合され、円形パイプ状の柱構造物１００の外側を取り囲むように設けられる。本実施例において、柱構造物１００が円形パイプ状であることによって、柱構造物１００の外側を取り囲んで結合される単位カバー２００ｂの断面は円周に沿って配置される。したがって、各単位カバー２００ｂの断面は円弧に沿って配置されている。したがって、図２１に示すように、柱構造物１００の直径が大きくなる場合、各単位カバー２００ｂの断面に沿って配置される円弧の長さも大きくなる。
【００８９】
各単位カバー２００ｂは、図２２に示したように、多数のパネル部２１０と、各パネル部２１０を連結する連結部２５０とを含むことが好ましい。
【００９０】
前記のようにパネル部２１０及び連結部２５０を含んで構成される単位カバー２００ｂのいずれか一端にはパネル部２１０が配置され、他端には連結部２５０が配置される。
【００９１】
単位カバー２００ｂの一端に配置されるパネル部２１０の折曲部２１３のうち外側に配置される折曲部２１３は、他の折曲部２１３より短い長さに設けられることが好ましい。このように短い長さに設けられ、外側に配置された折曲部２１３の終端には係止突起２１４が形成されている。
【００９２】
単位カバー２００の他端に配置される連結部２５０には、係止突起２１４が係止されるように結合部２６０ｂが設けられている。結合部２６０ｂは、ストレート形状の板に形成されており、結合部２６０ｂの中間部分が連結部２５０に連結されている。このような結合部２６０ｂの一端は柱構造物１００側に配置され、他端には、係止突起２１４が係止されるように係止部２６１ｂが結合部２６０ｂの内側に形成されている。
【００９３】
係止部２６１ｂは、図２１に示したように、傾斜部２６２ｂ及び収容溝部２６３ｂを含んで構成されることが好ましい。
【００９４】
係止部２６１ｂは、結合部２６０ｂの終端に形成されるが、柱構造物１００側に配置された結合部２６０ｂの終端の反対側終端に係止部２６１ｂが形成される。このような係止部２６１ｂは、連結部２５０が位置した反対方向に円弧状に折り曲げられて形成され、図２１に示すように、係止部２６１ｂの外側面に係止突起２１４が形成された折曲部２１３の内側と当接する。
【００９５】
収容溝部２６３ｂは、係止部２６１ｂの下側に位置し、連結部２５０側に開放された溝状に形成され、収容溝部２６３ｂに係止突起２１４が収容される。本実施例において、収容溝部２６３ｂは、傾斜部２６２ｂと連結部２５０との間に配置されている。
【００９６】
前記のように構成される単位カバー２００ｂの結合状態を図２１に示した。
【００９７】
図２１に示したように、いずれか一つの単位カバー２００ｂの係止突起２１４が、隣接した他の一つの単位カバー２００ｂの係止部２６１ｂに係止されて結合される。
【００９８】
このとき、係止突起２１４は、傾斜部２６２ｂの曲面に沿って滑りながら収容溝部２６３ｂに収容されて結合が行われ、結合された係止部２６１ｂは係止突起２１４の内側に配置される。すなわち、係止部２６１ｂの外側面が、係止突起２１４が形成された折曲部２１３の内側と当接する。
【００９９】
一方、実施例に応じて、図２３に示すように、各単位カバー２００ｃのパネル部２１０ｃのうち外側部２１１には凹凸部２１２が形成されてもよい。
【０１００】
＜３．第３の実施例に係るパイプカバー＞
第３の実施例に係るパイプカバーを図２４〜図２７に示した。
【０１０１】
第３の実施例に係るパイプカバーのうち第１の実施例及び第２の実施例と同一の構成要素に対しては同一の図面符号を付与し、それに対する詳細な説明は省略し、第１の実施例と相違する構成要素に対してのみ説明することにする。
【０１０２】
第３の実施例に係る柱構造物１００ｄは四角パイプ状である。
【０１０３】
このような四角パイプ状の柱構造物１００ｄを取り囲むように設けられるパイプカバーは、図２４に示したように、多数の単位カバー２００ｄで構成され、各単位カバー２００ｄは、互いに結合され、四角パイプ状の柱構造物１００ｄの外側を取り囲むように設けられる。本実施例においては、四角パイプ状の柱構造物１００ｄの各面当たり一つの単位カバー２００ｄが配置され、図２５に示すように、四つの単位カバー２００ｄは、互いに結合され、柱構造物１００ｄの外側を取り囲むように設けられている。
【０１０４】
柱構造物１００ｄが四角パイプ状であることによって、エンドキャップ４００ｄも四角リング状に形成されている。
【０１０５】
各単位カバー２００ｄは、図２６に示したように、多数のパネル部２１０ｄと、各パネル部２１０ｄを連結する連結部２５０ｄとを含むことが好ましい。
【０１０６】
本実施例において、柱構造物１００ｄが四角パイプ状であることによって、外側面をなす外側部２１１ｄはストレート形状であり、外側部２１１ｄの両端からそれぞれ折り曲げられた折曲部２１３ｄは、外側部２１１ｄから垂直に折り曲げられることが好ましい。
【０１０７】
前記のようにパネル部２１０ｄ及び連結部２５０ｄを含んで構成される単位カバー２００ｄのいずれか一端にはパネル部２１０ｄが配置され、他端には連結部２５０ｄが配置される。
【０１０８】
単位カバー２００ｄの一端に配置されるパネル部２１０ｄの折曲部２１３ｄのうち外側に配置される折曲部２１３ｄは、断面がパネル部２１０ｄから円弧状に折り曲げられることが好ましい。すなわち、パネル部２１０ｄと外側に配置される折曲部２１３ｄは緩い曲面状をなして形成されている。このように外側に配置された折曲部２１３ｄの終端には係止突起２１４ｄが形成されている。
【０１０９】
単位カバー２００ｄの他端に配置される連結部２５０ｄには、係止突起２１４ｄが係止されるように結合部２６０ｄが設けられている。結合部２６０ｄはストレート形状の板に形成されており、結合部２６０ｄの中間部分が連結部２５０ｄに連結されている。このような結合部２６０ｄの一端は柱構造物１００ｄ側に配置され、他端には、係止突起２１４ｄが係止されるように係止部２６１ｄが結合部２６０ｄの内側に形成されている。
【０１１０】
係止部２６１ｄは、図２６に示したように、曲面部２６２ｄ及び収容溝部２６３ｄを含んで構成されることが好ましい。
【０１１１】
曲面部２６２ｄは、結合部２６０ｄの終端に形成されるが、柱構造物１００ｄ側に配置された結合部２６０ｄの終端の反対側終端に曲面部２６２ｄが形成される。このような曲面部２６２ｄは、連結部２５０ｄが位置した反対方向に円弧状に折り曲げられて形成され、図２５に示すように、曲面部２６２ｄの外側面は、係止突起２１４ｄが形成された折曲部２１３ｄの内側と当接する。
【０１１２】
収容溝部２６３ｄは曲面部２６２ｄの下側に位置し、連結部２５０ｄ側に開放された溝状に形成され、収容溝部２６３ｄに係止突起２１４ｄが収容される。本実施例において、収容溝部２６３ｄは、曲面部２６２ｄと連結部２５０ｄとの間に配置されている。
【０１１３】
前記のように構成される単位カバー２００ｄの結合状態を図２５に示した。
【０１１４】
図２５に示したように、いずれか一つの単位カバー２００ｄの係止突起２１４ｄが、隣接した他の一つの単位カバー２００ｄの係止部２６１ｄに係止されて結合される。
【０１１５】
このとき、係止突起２１４ｄは、曲面部２６２ｄの曲面に沿って滑りながら収容溝部２６３ｄに収容されて結合が行われ、結合された係止部２６１ｄは係止突起２１４ｄの内側に配置される。すなわち、曲面部２６２ｄの外側面が、係止突起２１４ｄが形成された折曲部２１３ｄの内側と当接する。
【０１１６】
多数の単位カバー２００ｄとエンドキャップ４００ｄとが結合された状態を図２７に示した。
【０１１７】
＜４．効果＞
前記のような本発明の各実施例に係るパイプカバーによると、次のような効果がある。
【０１１８】
第一に、各単位カバー２００の係止突起２１４と係止部２６１とを互いに引っ張って組み立てることによって、各単位カバー２００を柱構造物１００に迅速に密着させて組み立てることができる。
【０１１９】
特に、単位カバー２００の弾性を用いて係止突起２１４と係止部２６１とを引っ張って嵌めると、容易に且つ迅速に各単位カバー２００を互いに結合することができる。
【０１２０】
第二に、単位カバー２００と一体に形成された係止突起２１４に、他の単位カバー２００に形成された係止部２６１を１次的に組み立てることによって、柱構造物１００に固定するための別途の部品が必要でない。
【０１２１】
また、柱構造物１００に弾性のある両面テープ３００を接着させると、柱構造物１００と単位カバー２００との間に接着する両面テープ３００の接着力と弾性を用いて柱構造物１００に単位カバー２００を２次的により堅固に密着させることができる。このように両面テープ３００を用いると、柱構造物１００の定められた位置に単位カバー２００を臨時に固定することができ、作業速度が非常に迅速であると共に、作業が容易であり、弾性のある両面テープ３００によって単位カバー２００が動いたり音がすることなく、より堅固に単位カバー２００を固定することができる。
【０１２２】
さらに、柱構造物１００を取り囲んで結合された単位カバー２００の上・下端にエンドキャップ４００を３次的に組み立てることによって、単位カバー２００をより堅固に密着させることができる。このようにエンドキャップ４００によって単位カバー２００の上・下端を固定すると同時に、エンドキャップ４００によって単位カバー２００と柱構造物１００との間の空間を閉鎖し、外観をさらに良好にすることができる。
【０１２３】
第三に、単位カバー２００を柱構造物１００の周囲に沿って組み立てればよいので、溶接や別途の締結手段が不必要であり、柱構造物１００自体の穿孔が必要でないので、組立性を向上させることができる。
【０１２４】
第四に、同一の形状の単位カバー２００は、アルミニウム、合成樹脂射出などで大量生産が容易であり、生産費用を減少させることができる。
【０１２５】
第五に、広告懸垂幕などを据え置くことができる懸垂幕掛け台４１５と、旗を掲げることができる国旗掲揚台４５７とを一体に設置し、都市の美観を改善することができる。
【０１２６】
以上のように、本発明を限定された実施例と図面によって説明したが、本発明がこれによって限定されることはなく、本発明の属する技術分野で通常の知識を有する者によって本発明の技術思想と下記に記載する特許請求の範囲の均等範囲内で多様な修正及び変形が可能であることは当然である。
【符号の説明】
【０１２７】
１００  柱構造物
１１０  柱本体
１５０  ベース板
２００  単位カバー
３００  両面テープ
４００  エンドキャップ
４１０  キャップベース部
４１１  パイプ挿入部
４５０  キャップ側板部
【図１】
2016061137.tif 000003
【図２】
2016061137.tif 000004
【図３】
2016061137.tif 000005
【図４】
2016061137.tif 000006
【図５】
2016061137.tif 000007
【図６】
2016061137.tif 000008
【図７】
2016061137.tif 000009
【図８】
2016061137.tif 000010
【図９】
2016061137.tif 000011
【図１０】
2016061137.tif 000012
【図１１】
2016061137.tif 000013
【図１２】
2016061137.tif 000014
【図１３】
2016061137.tif 000015
【図１４】
2016061137.tif 000016
【図１５】
2016061137.tif 000017
【図１６】
2016061137.tif 000018
【図１７】
2016061137.tif 000019
【図１８】
2016061137.tif 000020
【図１９】
2016061137.tif 000021
【図２０】
2016061137.tif 000022
【図２１】
2016061137.tif 000023
【図２２】
2016061137.tif 000024
【図２３】
2016061137.tif 000025
【図２４】
2016061137.tif 000026
【図２５】
2016061137.tif 000027
【図２６】
2016061137.tif 000028
【図２７】
2016061137.tif 000029